(57)【要約】【課題】インペラを用いた機械撹拌型脱硫設備を用いて溶銑を脱硫処理する際に、複雑な設備改造無しに、効率良く脱硫処理を行う。【解決手段】インペラを備えた機械撹拌型脱硫設備を用いて、銑鍋に収容した溶銑を脱硫処理する。脱硫剤として最大粒径５ｍｍ以下に調整した細粒状ＣａＯ含有物質を用い、脱硫剤を収容したホッパーから溶銑上へと脱硫剤を落下させて添加するパイプ、または脱硫剤を収容したタンクから溶銑上へと脱硫剤を移送して添加するノズルを通じて、インペラを回転させて溶銑を旋回撹拌している間に、脱硫剤を、（１）式：Ｕ＝Ｗ／ｔ／Ｓにより規定される脱硫剤の単位面積時間あたりの添加量Ｕを２０ｋｇ／分／ｃｍ２以下に制御して、溶銑上へ添加する。Ｕ：脱硫剤の単位面積時間あたりの添加量［ｋｇ／ｍｉｎ／ｃｍ２］，Ｗ：脱硫剤の添加量［ｋｇ］，ｔ：脱硫剤の添加時間［ｍｉｎ］，Ｓ：脱硫剤の添加面積（脱硫剤を添加するパイプまたはノズルの、溶銑上の出口孔の面積の総和）［ｃｍ２］である。【選択図】図１
2014037573.tif 000002
【特許請求の範囲】
【請求項１】
インペラを備えた機械撹拌型脱硫設備を用いて、溶銑鍋に収容した溶銑を脱硫処理する方法であって、脱硫剤として最大粒径５ｍｍ以下に調整した細粒状ＣａＯ含有物質を用い、
該脱硫剤を収容したホッパーから溶銑上へと該脱硫剤を落下させて添加するパイプ、または該脱硫剤を収容したタンクから溶銑上へと該脱硫剤を移送して添加するノズルを通じて、
前記インペラを回転させて溶銑を旋回撹拌している間に、
脱硫剤を、下記（１）式により規定される前記脱硫剤の単位面積時間あたりの添加量を２０ｋｇ／分／ｃｍ２以下に制御して、溶銑上へ添加することを特徴とする溶銑の脱硫処理方法。
Ｕ＝Ｗ／ｔ／Ｓ                      ・・・・・・・（１）
（１）式において、
Ｕ：前記脱硫剤の単位面積時間あたりの添加量［ｋｇ／ｍｉｎ／ｃｍ２］
Ｗ：前記脱硫剤の添加量［ｋｇ］
ｔ：前記脱硫剤の添加時間［ｍｉｎ］
Ｓ：前記脱硫剤の添加面積（脱硫剤を添加する前記パイプまたは前記ノズルの、溶銑上の出口孔の面積の総和）［ｃｍ２］
である。
【請求項２】
前記パイプまたは前記ノズルの溶銑上の出口直下に、前記脱硫剤の前記溶銑上への落下面積を前記出口孔の面積よりも拡張する脱硫剤添加方向拡大部材を配置し、
前記（１）式における前記脱硫剤の添加面積Ｓを、該脱硫剤添加方向拡大部材の外壁最下部の横断面積の総和に代えることを特徴とする請求項１に記載の溶銑の脱硫処理方法。
【請求項３】
前記脱硫剤添加方向拡大部材は、該拡大部材の外壁最下部の横断面積が前記出口孔の面積よりも大きい下部拡大形状を有していて、前記脱硫剤を、該外壁の表面を滑らせることによって溶銑上へ落下させることを特徴とする請求項２に記載の溶銑の脱硫処理方法。
【請求項４】
前記脱硫剤添加方向拡大部材は、脱硫剤入口開口を最上部に有するとともに脱硫剤出口開口を最下部に有し、該脱硫剤入口開口の面積は前記出口孔の面積よりも小さく、かつ、該脱硫剤出口開口の面積は該脱硫剤入口開口の面積よりも大きいことを特徴とする請求項３に記載の溶銑の脱硫処理方法。
【請求項５】
前記脱硫剤添加方向拡大部材を上下方向に複数直列に備え、各脱硫剤添加方向拡大部材における前記脱硫剤入口開口および前記脱硫剤出口開口の面積が下段側に位置する脱硫剤添加方向拡大部材ほど小さいことを特徴とする請求項４に記載の溶銑の脱硫処理方法。
【発明の詳細な説明】
【技術分野】
【０００１】
本発明は、インペラを用いた機械撹拌型の脱硫設備による脱硫処理方法において、脱硫効率を向上させる方法に関するものである。
【背景技術】
【０００２】
従来、少量の脱硫剤で高い脱硫効率を得るためにインペラを用いた機械撹拌型の脱硫設備（ＫＲ）が広く普及している。この脱硫処理は溶銑にＣａＯを主成分とした脱硫剤を上方添加し、インペラによる機械撹拌によって脱硫剤と溶銑を反応させ脱硫を促進させる処理である。
【０００３】
この処理において、効率的な脱硫反応を行うためには、脱硫剤と溶銑の反応を効率良く促進することが重要である。そのためには以下の３条件が挙げられる。
【０００４】
（Ａ）細粒脱硫剤を用いる。（反応界面積拡大）
（Ｂ）飛散ロス無く脱硫剤を溶銑に着地させる。（有効利用率向上）
（Ｃ）溶銑内に効率良く脱硫剤を巻き込む。（接触率向上）
上記の条件の内、（Ａ）と（Ｂ）を解決する方法として、特許文献１には、上方からノズルを通じて不活性ガスと細粒の脱硫剤（粉体）を溶銑に吹き付けて脱硫する方法（粉体吹き付け脱硫）が開示されている。
【０００５】
粉体吹き付け脱硫によれば、細粒の脱硫剤を飛散ロス無く、溶銑に着地させることにより反応界面積と脱硫剤の有効利用率をともに増大させて脱硫効率を向上させることができる。
【０００６】
しかし、粉体吹き付け脱硫には、溶銑内に効率良く脱硫剤を巻き込むという視点はなく、例えば処理時間の短縮のために脱硫剤の添加速度を上昇すると、単位時間内に粉体脱硫剤が溶銑に入る量が増大することにより脱硫剤の巻き込み不良が発生し、上記の条件（Ｃ）が満たされなくなり脱硫能が低下してしまうという問題があった。
【０００７】
（Ｃ）の条件を解決する方法として、特許文献２には、溶銑を保持している容器壁に整流体を設け、回転撹拌した溶銑を上記整流体に衝突させ下降流を生成させ、この下降流により脱硫剤を巻き込ませる方法が開示されている。
【０００８】
しかし、この方法には、インペラによる回転撹拌力が非常に強いために整流体の損耗が早く、メンテナンスに多くの労力，費用を要するという問題があった。
【先行技術文献】
【特許文献】
【０００９】
【特許文献１】特許第４８４５０７８号明細書
【特許文献２】特開昭５１−１１２４１６号公報
【発明の概要】
【発明が解決しようとする課題】
【００１０】
本発明は、従来の技術が有するこのような課題に鑑みてなされたものであり、インペラを用いた機械撹拌型脱硫設備を用いて溶銑を脱硫処理する際に、複雑な設備改造無しに、上記（Ａ）、（Ｂ）及び（Ｃ）の条件を同時に満足し、効率良く脱硫処理を行う方法を提供することを目的とする。
【課題を解決するための手段】
【００１１】
本発明は、以下に列記の通りである。
（１）インペラを備えた機械撹拌型脱硫設備を用いて、溶銑鍋に収容した溶銑を脱硫処理する方法であって、脱硫剤として最大粒径５ｍｍ以下に調整した細粒状ＣａＯ含有物質を用い、該脱硫剤を収容したホッパーから溶銑上へと該脱硫剤を落下させて添加するパイプ、または該脱硫剤を収容したタンクから溶銑上へと該脱硫剤を移送して添加するノズルを通じて、
前記インペラを回転させて溶銑を旋回撹拌している間に、
脱硫剤を、下記（１）式により規定される前記脱硫剤の単位面積時間あたりの添加量を２０ｋｇ／分／ｃｍ２以下に制御して、溶銑上へ添加することを特徴とする溶銑の脱硫処理方法。
【００１２】
Ｕ＝Ｗ／ｔ／Ｓ                      ・・・・・・・（１）
（１）式において、
Ｕ：前記脱硫剤の単位面積時間あたりの添加量［ｋｇ／ｍｉｎ／ｃｍ２］
Ｗ：前記脱硫剤の添加量［ｋｇ］
ｔ：前記脱硫剤の添加時間［ｍｉｎ］
Ｓ：前記脱硫剤の添加面積（脱硫剤を添加する前記パイプまたは前記ノズルの、溶銑上の出口孔の面積の総和）［ｃｍ２］
である。
【００１３】
（２）前記パイプまたは前記ノズルの溶銑上の出口直下に、前記脱硫剤の前記溶銑上への落下面積を前記出口孔の面積よりも拡張する脱硫剤添加方向拡大部材を配置し、
前記（１）式における前記脱硫剤の添加面積Ｓを、該脱硫剤添加方向拡大部材の外壁最下部の横断面積の総和に代えることを特徴とする（１）項に記載の溶銑の脱硫処理方法。
【００１４】
（３）前記脱硫剤添加方向拡大部材は、該拡大部材の外壁最下部の横断面積が前記出口孔の面積よりも大きい下部拡大形状を有していて、前記脱硫剤を、該外壁の表面を滑らせることによって溶銑上へ落下させることを特徴とする（２）項に記載の溶銑の脱硫処理方法。
【００１５】
（４）前記脱硫剤添加方向拡大部材は、脱硫剤入口開口を最上部に有するとともに脱硫剤出口開口を最下部に有し、該脱硫剤入口開口の面積は前記出口孔の面積よりも小さく、かつ、該脱硫剤出口開口の面積は該脱硫剤入口開口の面積よりも大きいことを特徴とする（３）項に記載の溶銑の脱硫処理方法。
【００１６】
（５）前記脱硫剤添加方向拡大部材を上下方向に複数直列に備え、各脱硫剤添加方向拡大部材における前記脱硫剤入口開口および前記脱硫剤出口開口の面積が下段側に位置する脱硫剤添加方向拡大部材ほど小さいことを特徴とする（４）項に記載の溶銑の脱硫処理方法。
【発明の効果】
【００１７】
本発明により、インペラを用いた機械撹拌型脱硫設備を用いて溶銑を脱硫処理する際に、複雑な設備改造無しに、上記（Ａ）、（Ｂ）及び（Ｃ）の条件を同時に満足でき、効率良く脱硫処理を行うことが可能となった。
【図面の簡単な説明】
【００１８】
【図１】図１は、単位面積時間あたりの脱硫剤添加量［ｋｇ／ｍｉｎ／ｃｍ２］と、脱硫率（％）との関係の一例を示すグラフである。
【図２】図２は、脱硫剤を移送して添加するノズルを２本設けた状況を模式的に示す説明図である。
【図３】図３（ａ）および図３（ｂ）は、いずれも、脱硫剤添加方向拡大部材３の一例の設置状況を示す説明図である。
【発明を実施するための形態】
【００１９】
本発明を実施するための形態を、添付図面を参照しながら説明する。
脱硫剤として一般的に用いられているＣａＯを主成分としたフラックス（代表的には生石灰）と溶銑との界面張力は、１．７５Ｎ／ｍ２以上であり、濡れ性は良くない。このため、溶銑に添加された脱硫剤は細粒化して添加されたとしても互いに凝集してしまい、凝集内部の脱硫剤は未反応のまま残るために反応効率が低下する。
【００２０】
したがって、溶銑の脱硫反応を促進させるためには、脱硫剤を細粒化して反応界面積を増やした上で、添加する細粒脱硫剤を効率良く溶銑内へ侵入させ、溶銑浴内での分散を促進することが有効である。
【００２１】
そこで、脱硫剤として最大粒径５ｍｍ以下に調整した細粒状生石灰を用い、その脱硫剤の飛散を防止しながら脱硫剤の巻き込み効率を向上させるという点に着目して鋭意調査した結果、脱硫剤を収容したホッパーから溶銑上へと脱硫剤を落下させて添加するパイプ、または脱硫剤を収容したタンクから溶銑上へと脱硫剤を移送して添加するノズルを通じて、
インペラを回転させて溶銑を旋回撹拌している間に、
脱硫剤を、単位面積時間あたりの添加量を２０ｋｇ／分／ｃｍ２以下に制御して溶銑上へ添加することが効果的であることが判明した。
【００２２】
ここで、単位面積時間あたりの脱硫剤添加量は（１）式で定義する。
Ｕ＝Ｗ／ｔ／Ｓ                      ・・・・・・・（１）
（１）式において、Ｕは脱硫剤の単位面積時間あたりの添加量［ｋｇ／ｍｉｎ／ｃｍ２］であり、Ｗは脱硫剤の添加量［ｋｇ］であり、ｔは脱硫剤の添加時間［ｍｉｎ］であり、Ｓは脱硫剤の添加面積（脱硫剤を添加するパイプまたはノズルの、溶銑上の出口孔面積の総和）［ｃｍ２］である。
【００２３】
図１は、単位面積時間あたりの脱硫剤添加量［ｋｇ／ｍｉｎ／ｃｍ２］と、脱硫率（％）との関係の一例を示すグラフである。
【００２４】
図１のグラフに示すように、脱硫処理中に単位面積時間あたりの脱硫剤添加量を２０ｋｇ／分／ｃｍ２超にして脱硫剤を添加すると、同一条件でも脱硫能が低下してしまう。この理由については、単位時間あたりに溶銑浴面の単位面積あたりの脱硫剤の添加量がある一定量を越えると、脱硫剤の巻き込み効率が著しく低下するからであると考えられる。
【００２５】
ここで、溶銑浴面での脱硫剤が添加された面積は簡単には測定できないので、脱硫剤を添加するパイプまたはノズルの出口孔の面積が関係あるとして調査した結果、脱硫剤を添加するパイプまたはノズルの出口孔の面積は、脱硫剤が添加された溶銑浴面の面積を代用する指標として、問題ないことが判明した。
【００２６】
この結果は、脱硫剤として最大粒径５ｍｍ以下に調整した細粒状生石灰を用いた場合に限られず、最大粒径１００ｍｅｓｈ以下に調整した粉状生石灰を用いた場合でも同様であった。
【００２７】
脱硫剤が添加される溶銑浴面の面積は、脱硫剤を添加されるパイプまたはノズルの、溶銑上での出口孔の面積と比例すると理解することができる。
【００２８】
このため、脱硫剤の添加速度を高めても脱硫剤の巻き込み効率を低下させないためには、脱硫剤が添加される溶銑浴面の面積を拡大することが効果的であると考えられる。
【００２９】
そのための具体的な工夫としては、パイプまたはノズルの出口の直下に、脱硫剤が溶銑に添加される方向を分散・拡大することができる脱硫剤添加方向拡大部材を配置しておき、脱硫剤が溶銑に添加される方向を分散・拡大することによって、脱硫剤が添加される溶銑浴面の面積を拡大することが考えられる。この場合、脱硫剤が添加された溶銑浴面の面積を代用する指標としての、脱硫剤を添加するパイプまたはノズルの出口孔の面積は、脱硫剤添加方向拡大部材の外壁の最下部の横断面積が相当すると考えることができる。
【００３０】
脱硫剤添加方向拡大部材を配置することにより、脱硫剤の添加速度を高めても、脱硫剤の巻き込み効率が低下することを防止でき、短い処理時間で脱硫効率を向上できる。
【００３１】
脱硫剤が添加される溶銑浴面の面積を拡げるためには、例えば次の方法が考えられる。
（１）脱硫剤を添加するパイプまたはノズルの、少なくとも出口孔の近辺部分の横断面積を拡張する。
【００３２】
出口孔の近辺部分の横断面積を拡張するだけでは、脱硫剤がパイプまたはノズルの横断面内で偏在して落下する可能性があるため、拡張効果には限界がある。しかし、限界があるとはいえ、少なくとも出口孔の近辺部分の横断面積を拡張することによって、溶銑浴面上における脱硫剤の分散度は高められる。
【００３３】
（２）上記出口孔の近辺部分の横断面積の拡張部分に蓮根状等の多孔板を配置して、脱硫剤の分散度を高める。
【００３４】
この場合には、多孔板に開ける孔を小さくし、孔密度を高めることで、脱硫剤の分散度を確実に高めることができる。
【００３５】
（３）図２は、脱硫剤を移送して添加するノズルを２本設けた状況を模式的に示す説明図である。
【００３６】
図２に例示するように、脱硫剤を移送して溶銑に添加するためのノズル１の出口１ａ，１ｂを複数（図１は出口を二つ設けた場合を示す）にする。
【００３７】
特に、脱硫剤に最大粒径５ｍｍ以下に調整した細粒状生石灰を用い、収容タンクから溶銑上まで気送する場合、図２に例示するように、気送経路２の途中で複数に分岐させることで脱硫剤の分散度が高まり、ノズル１ａ，１ｂの出口の横断面全体に分散した状態で溶銑面へ脱硫剤を落下させることができる。
【００３８】
なお、この方法では、分散された状態で脱硫剤を溶銑上に添加することが目的であるから、脱硫剤を溶銑上に吹き付けることは無用である。拡張されたノズル１の出口孔９から脱硫剤を吹き付けるためには多量の搬送ガスを必要とするため、ガスコストが嵩むばかりか、脱硫剤を逸散させてしまうことになって、却って非効率になる。
【００３９】
（４）脱硫剤を添加するノズル１ａの出口直下に、脱硫剤の溶銑上への落下面積を、このノズル１ａの出口孔９の面積よりも拡張する脱硫剤添加方向拡大部材３ａを、配置する。
【００４０】
図３（ａ）および図３（ｂ）は、いずれも、脱硫剤添加方向拡大部材３ａ，３ｂの一例の設置状況を示す説明図であり、図３（ａ）および図３（ｂ）には、脱硫剤の溶銑上への落下面積の拡張の程度が異なる２種の脱硫剤添加方向拡大部材３ａ，３ｂを示す。２種の脱硫剤添加方向拡大部材３ａ，３ｂの構造は、基本的に同じであるので、以降の説明は、図３（ａ）に示される脱硫剤添加方向拡大部材３ａを参照しながら行う。
【００４１】
脱硫剤添加方向拡大部材３ａは本体４を有する。本体４は外壁５を有する。外壁５は、円錐台の外形を有する中空体である。このように、本体４は陣笠状の外形を有する。
【００４２】
さらに、本体４は、脱硫剤添加方向拡大部材３ａの外壁５の最下部の横面積が、脱硫剤を添加するノズル１ａの出口孔９の面積よりも大きい下部拡大形状を有する。そして、本体４は、脱硫剤を外壁５の外面に沿って流通させる。
【００４３】
このように、外壁５を有する本体４を備える脱硫剤添加方向拡大部材３ａは、落下する脱硫剤の障害物として機能する。この方法によれば、脱硫剤を添加するノズル１ａの出口孔９の面積よりも脱硫剤の落下面積を拡張することができるため、単位面積時間あたりの脱硫剤添加量［ｋｇ／ｍｉｎ／ｃｍ２］を大幅に低下させて、脱硫効率を高めることができる。
【００４４】
脱硫剤添加方向拡大部材３ａの本体４の最上部には脱硫剤を添加するノズル１ａの出口孔９の面積よりも小さな面積を有する脱硫剤入口開口７が設けられるとともに、脱硫剤添加方向拡大部材３ａの本体４の最下部には脱硫剤出口開口８が設けられることが好ましい。これにより、脱硫剤添加方向拡大部材３ａの直下に位置する溶銑浴面にも脱硫剤を添加することができ、脱硫剤をより均一に溶銑浴面に供給できる。
【００４５】
以上の説明では、ノズル１ａの下方に脱硫剤添加方向拡大部材３ａを一つ配置した場合を例にとったが、これとは異なり、脱硫剤添加方向拡大部材を上下方向に複数（例えば２つまたは３つ以上）直列に配置してもよい。
【００４６】
この場合、本体４は、外壁５とともに内壁６を有することになる。内壁６は、外壁５同様に円錐台の外形を有する中空体である。内壁６は、外壁５の内部に外壁５から離れて適宜手段（例えば、外壁５の内面５ａと内壁６の外面６ａとを接続するブラケットによって内壁６は外壁５に支持される）によって固定して配置されることが好ましい。
【００４７】
この場合、上下方向に連続して配置された複数の脱硫剤添加方向拡大部材３ａのうち、各脱硫剤添加方向拡大部材３ａにおける脱硫剤入口開口７および脱硫剤出口開口８の面積が下段側に位置する脱硫剤添加方向拡大部材３ａほど小さいことが、溶銑浴面に添加される脱硫剤の分散度を一層高めることができるので、好ましい。
【００４８】
脱硫剤添加方向拡大部材３ａをノズル１ａの出口孔９の直下に配置する目的は、脱硫剤を外壁５の外面上（内壁６を有する場合には、外壁５および内壁６の外面上）を滑落させることにより、脱硫剤の溶銑上への落下面積を拡張することである。したがって、脱硫剤添加方向拡大部材３ａの形状や設置段数は、図３（ａ）および図３（ｂ）に例示される形態に限定されるものではなく、上記の目的が達成されるように、適宜決定すればよい。
【００４９】
例えば、脱硫剤添加方向拡大部材３ａの形状は、円錐台形状であることが好ましいが、円錐台形状に限定されるものではなく、多角錐台形状でもよいし、その上、表面は曲面状に形成されていてもよい。
【実施例】
【００５０】
高炉から出銑された溶銑を溶銑鍋に装入した。インペラを用いた機械撹拌型脱硫設備にて脱硫処理を行った。
【００５１】
脱硫処理時間（インペラを回転させて溶銑を旋回撹拌した時間）を共通して１２分間とし、脱硫剤も共通して最大粒径５ｍｍ以下の細粒状生石灰を用い、他に脱硫剤は用いずに、脱硫剤添加速度と脱硫剤添加面積を変化させて、脱硫能の比較を行った。
【００５２】
表１に試験条件および試験結果をまとめて示す。
【００５３】
【表１】
2014037573.tif 000003
【００５４】
表１における試験Ｎｏ．１は、脱硫剤収容タンクから脱硫剤を１本のパイプで気送し、溶銑上で３本のストレート型ノズルに分配して溶銑上へ落下させることにより、添加した本発明例である。その３本のノズルの出口面積の合計は、６０ｃｍ２とした。脱硫剤の添加速度（脱硫剤収容タンクからの切出し速度）を５００ｋｇ／ｍｉｎに制御した結果、脱硫率は９１％と良好であった。
【００５５】
試験Ｎｏ．２は、脱硫剤収容タンクから脱硫剤を１本のパイプで気送し、そのまま１本のストレート型ノズルを通じて溶銑上へ落下させることにより、添加した本発明例である。その１本のノズルの出口面積は、２０ｃｍ２のものを用いた。脱硫剤の添加速度（脱硫剤収容タンクからの切出し速度）を３００ｋｇ／ｍｉｎと試験Ｎｏ．１に比べて遅くなるよう制御した結果、脱硫率は８９％とやや低くなったが満足できる数値であった。
【００５６】
試験Ｎｏ．３と４とは、脱硫剤を添加するノズルの出口直下に図３（ａ）に示すように脱硫剤添加方向拡大部材３ａを設置した例である。脱硫剤添加方向拡大部材３ａの形状は、円錐台形状とし、上部にパイプ１ａの出口孔の面積よりも小さな面積の開口１０を設けたものを上下方向に２段設置し、各脱硫剤添加方向拡大部材３ａの脱硫剤入口開口７および脱硫剤出口開口８の面積が上段側に位置する脱硫剤添加方向拡大部材３ａほど小さく設定した。
【００５７】
試験Ｎｏ．３では、脱硫剤を添加するノズル１ａの出口孔９の面積を２０ｃｍ２とし、その直下における上部開口７の面積をその０．５倍とするとともに外壁５の最下部の面積をその２．０倍とし、その円錐台表面が鉛直線となす角度θを２０°とした。
【００５８】
さらに、その直下に内壁６を設け、その上部開口１０の面積をノズル１ａの出口孔９の面積の０．２倍とするとともにその内壁６の最下部の面積をその０．５倍とし、その円錐台表面が鉛直線となす角度θを２０°にした、小型の脱硫剤添加方向拡大部材３ａを設置した（図３（ａ）参照）。
【００５９】
試験Ｎｏ．４では、ノズル１ａの出口孔９の面積を２０ｃｍ２とし、その直下に上部開口７の面積をその０．６倍、下部開口８の面積をその３．２倍とし、その円錐台表面が鉛直線となす角度θを３０°にした。
【００６０】
さらに、その直下に内壁６を設け、その上部開口面積をノズル１ａの出口孔９の面積の０．２倍とし、下部開口８の面積をノズル１ａの出口孔９の面積の０．５倍とし、その円錐台表面が鉛直線となす角度θを２５°にした、小型の脱硫剤添加方向拡大部材３ａを設置した。（図３（ｂ）参照）
一方、試験Ｎｏ．５は、試験Ｎｏ．２に同じく、脱硫剤収容タンクから脱硫剤を１本のパイプで気送し、そのまま１本のストレート型ノズルを通じて溶銑上へ落下させることにより添加した比較例である。その１本のノズルの出口面積を２０ｃｍ２として、その脱硫剤の添加速度を５００ｋｇ／ｍｉｎと試験Ｎｏ．２に比べて速くした結果、脱硫率は７６％と低下してしまった。
【００６１】
また、脱硫剤の添加速度を同じ５００ｋｇ／ｍｉｎとした試験Ｎｏ．３，４と試験Ｎｏ．5とを比べると、試験Ｎｏ．３，４ではノズル１ａの直下に脱硫剤添加方向拡大部材３ａを配置した結果、脱硫剤添加速度（単位面積時間当たりの脱硫剤添加量）がそれぞれ試験Ｎｏ．５の約１／２と約１／３．２に低下している。その結果、脱硫剤の添加速度を同じ５００ｋｇ／ｍｉｎに制御しても、試験Ｎｏ．３では脱硫率が９２％、試験Ｎｏ．４では脱硫率が９６％と試験Ｎｏ．５より高く、脱硫剤添加速度が近い試験Ｎｏ．１と比べても一層良好な成績を得ることができた。
【００６２】
また、試験Ｎｏ．６〜８は、脱硫剤収容ホッパーから溶銑上へと、パイプを通じて脱硫剤を一括的に投入した例である。その結果、脱硫率は８２〜８３％となった。
【００６３】
本発明実施例である試験Ｎｏ．１〜４のように、単位面積時間あたりの脱硫剤添加量［ｋｇ／ｍｉｎ／ｃｍ２］を２０ｋｇ／ｍｉｎ／ｃｍ２以下に制御した条件下においては、試験Ｎｏ．５〜８のように、それが２０ｋｇ／ｍｉｎ／ｃｍ２を超える条件と比べて、脱硫率を高くできることが確認された。
【図１】
2014037573.tif 000004
【図２】
2014037573.tif 000005
【図３】
2014037573.tif 000006